(57)【特許請求の範囲】
【請求項１】
入口と出口を有するケーシング内に弁室を形成し、弁室と出口を連通する弁孔を有する弁座を設け、弁孔の弁室側端部に接する部分を球面状に形成した主フロートを弁室内に自由状態で配置して、主フロートの球面状の外表面で弁孔を直接開閉弁するものにおいて、弁室内の液位によって上昇して主フロートの外表面に接する中空円筒状で上下に半球部を載置した従フロートを弁室内に配置すると共に、更なる弁室内の液位の上昇により主フロートと従フロートが共に浮上するように従フロートの動きをガイドする従フロートガイド部を弁室内に設けて、当該従フロートの浮力で主フロートの開弁を補助することを特徴とするフロート弁。
【発明の詳細な説明】
【０００１】
【発明の属する技術分野】
本発明は、気体と液体の比重差を利用してフロートの外表面で弁孔を直接開閉し、気液混合系から一方の流体を自動的に排出するフロート弁に関する。
【０００２】
フロート弁としては、蒸気配管系に発生する復水を自動的に排出するスチームトラップ、圧縮空気配管系に発生する凝縮水を自動的に排出するエアートラップ、ガス配管系に発生する凝縮水を自動的に排出するガストラップ、油配管系に混在する水を自動的に排出するオイルトラップ、及び、水配管系に混在する空気を自動的に排出するエアーベント等がある。
【０００３】
【従来の技術】
従来のフロート弁としては、例えば、特開平７−８３３９３号公報に示されたものがある。ここに示されたものは、入口と出口を有するケーシング内に弁室を形成し、弁室と出口を連通する弁孔を有する弁座を設け、弁孔の弁室側端部に接する部分を球面状に形成した主フロートを主フロートケージ内に回動自在に配置して、主フロートケージに別個のフロート取り付けると共に、主フロートの球面状の外表面で弁孔を直接開閉弁するものである。
【０００４】
【発明が解決しようとする課題】
上記従来のフロート弁では、レバーを使用しているために、大きな口径の弁孔を開閉弁して比較的多くの復水を排出することができるが、フロート弁全体の形状が大型化する問題があった。
【０００５】
従って、本発明の課題は、レバーを使用することなく、比較的多くの流体を排出することができると共に、フロート弁全体の形状も小型化することである。
【０００６】
【課題を解決するための手段】
上記の課題を解決するために講じた本発明の手段は、入口と出口を有するケーシング内に弁室を形成し、弁室と出口を連通する弁孔を有する弁座を設け、弁孔の弁室側端部に接する部分を球面状に形成した主フロートを弁室内に自由状態で配置して、主フロートの球面状の外表面で弁孔を直接開閉弁するものにおいて、弁室内の液位によって上昇して主フロートの外表面に接する中空円筒状で上下に半球部を載置した従フロートを弁室内に配置すると共に、更なる弁室内の液位の上昇により主フロートと従フロートが共に浮上するように従フロートの動きをガイドする従フロートガイド部を弁室内に設けて、当該従フロートの浮力で主フロートの開弁を補助するものである。
【０００７】
【発明の実施の形態】
本発明は、主フロートが弁孔を開弁する位置で従フロートと主フロートが接触するように従フロートの動きをガイドする従フロートガイド部を弁室内に設け、当該従フロートの浮力で主フロートの開弁を補助することにより、主フロートだけの場合と比較してより大きな弁孔を開閉弁することができ、且つ、レバーを使用しないことにより、フロート弁全体の形状が大型化することもない。
【０００８】
【実施例】
本発明の実施例を図1を基に説明する。本実施例はフロート弁として、蒸気配管系に発生する復水を自動的に排出するスチームトラップの1つである、フリーフロート式スチームトラップに適用したものである。
【０００９】
本体１と蓋部材２で弁ケーシングを形成する。弁ケーシングの内部は仕切壁３で、入口４の連通する弁室５と出口６の連通する出口通路７に隔てる。入口４は弁室５の上部に開口する。弁室５の下部に弁孔９を設けた弁座８を、本体１に取り付けて保持プラグ１０で固定する。
【００１０】
弁座８の側部には貫通孔１１を設けて、この貫通孔１１と弁孔９で、弁室５と出口通路７を連通する。尚、弁座８や保持プラグ１０、及び、蓋部材２には、図示はしていないが気密性を維持するためのガスケット等をそれぞれ組み付ける。
【００１１】
弁室５内に中空球形のステンレス製の主フロート１２を自由状態で配置する。主フロート１２は、弁室５に溜まる復水の液位に従って浮上降下し、その外表面で弁孔９の弁室５側端部を開閉する。本体１の底壁には、主フロート１２の降下位置を規定するフロート座１３を形成する。
【００１２】
フロート座１３の入口４側で、且つ、弁室５の下方部に、中空円筒状で上下に半球部を戴置した従フロート１４を、上下動自在に配置する。従フロート１４が上下動自在に、弁室５内の液位によって浮上降下できるように、本体１の弁室５内に従フロートガイド部１５を設ける。従フロートガイド部１５は、従フロート１４の図面奥に一枚のガイド部１５を設けると共に、従フロート１４の図面手前にも図示しない一枚のガイド部を設けることにより、両者のガイド部間を、従フロート１４が上下動自在に浮上降下する。
【００１３】
またガイド部１５によって、従フロート１４は、弁室５の上方へ浮上することを阻止される。図１において、従フロート１４の上端部が、本体１に形成した段部１９に接触して、それ以上の浮上を阻止される。
【００１４】
上記フリーフロート式スチームトラップの作動は次の通りである。蒸気と復水が入口４から弁室５に流入し、弁室５内の復水液位が上昇すると、従フロート１４は上昇し、一方、主フロート１２は図１に示すように閉弁状態を維持する。更に弁室５内の液位が上昇すると、従フロート１４が上昇して主フロート１２と接触し、主フロート１２と従フロート１４は共に浮上して、主フロート１２の外表面が弁孔９を開き、弁室５内の復水を出口通路７から出口６へ排出する。従フロート１４は段部１９に接触して浮上及びそれ以上の変位を阻止される。
【００１５】
主フロート１２が弁孔９を開弁開孔する場合、弁座８の上端部１７を回転支点として主フロート１２がその浮力によって時計まわり方向に回転して上昇する。この動きは従来のフリーフロート弁と同一である。
【００１６】
本実施例においては、従フロート１４が、主フロート１２の開弁を補助する。即ち、主フロート１２が開弁する位置で、従フロート１４の浮力が、補助浮力として主フロート１２に加えられる。この補助浮力は、主フロート１２の回転支点１７から、主従それぞれのフロート１２，１４の接触点１８までを、腕の長さとする回転モーメントとして作用する。
【００１７】
このように従フロート１４によって主フロート１２の開弁を補助することによって、レバーを使用することなく、開弁力を増すことができ、従来のフリーフロート単独の場合よりも大きな弁孔を開閉弁することができる。
【００１８】
復水の排出によって弁室５内の液位が低下すると、主従それぞれのフロート１２，１４は降下し、主フロート１２の外表面で弁孔９を直接閉じて、蒸気が出口６側に漏洩することを防止する。
【００１９】
本実施例においては、従フロート１４を１個だけ用いた例を示したが、主フロート１２の周囲に複数個を配置して用いることもできるものである。
【００２０】
【発明の効果】
上記のように本発明は、従フロートで主フロートの開弁を補助することにより、レバーを使用することなく、大きな弁孔を開孔して比較的多くの流体を排出することができると共に、フロート弁全体の形状が大型化することも防止できる。
【図面の簡単な説明】
【図１】本発明の実施例を示すフリーフロート式スチームトラップの断面図。
【符号の説明】
１  本体
２  蓋部材
４  入口
５  弁室
６  出口
７  出口通路
８  弁座
９  弁孔
１２  主フロート
１４  従フロート
１５  従フロートガイド部
【図１】
0004657488.tif 000002